Podtech/llm-jp-corpus-v4-ja_patent huggingface dataset:
【誤訳訂正書】
【提出日】平成21年8月6日(2009.8.6)
【誤訳訂正１】
【訂正対象書類名】明細書
【訂正対象項目名】００５７
【訂正方法】変更
【訂正の内容】
【００５７】
適切な中性ゲル化性ポリマーには、適切な分子量および粘度をもつポリエチレンオキシド(PEO)、PEOファミリーの誘導体およびメンバー（たとえばポリエチレングリコール(PEG)）、好ましくは天然に固体状態で存在するものが含まれる。単一の中性ゲル化性ポリエチレングリコールとして用いる場合、PEOは好ましくは≧400万(4M)のＭＷをもち、これは水溶液の粘度範囲1650〜5500 mPa（すなわち1650〜5500 cps；1％水溶液について、25°CでNo. 2スピンドルを備えたブルックフィールドRVF粘度計により2 rpmで測定）に相当する。適切なPEOの他の例には、約500万(5M)のＭＷをもち、水溶液の粘度範囲5500〜7500 mPaに相当するPEO、または約800万(8M)のＭＷをもち、水溶液の粘度範囲10000〜15000 mPaに相当するPEOが含まれる。この範囲は、このポリマーについてUSP 24／NF 19, 2000年版, pp. 2285-2286に示された25°Cで測定した典型的な溶液粘度(cps)を含む。PEOを単一の中性ゲル化性ポリマーとして用いる場合、それは好ましくは高い分子量、たとえば約20000のＭＷをもち、これは50％水溶液(w／w)を用いて20°Cで細管粘度計(Ubbelohdeまたはそれに類するもの)により測定して2700〜3500 mPa (すなわち2700〜3500 cps)に相当する[参照：欧州薬局方第３版, 2000, 補遺, pp. 908-909]。
【誤訳訂正２】
【訂正対象書類名】明細書
【訂正対象項目名】０１１３
【訂正方法】変更
【訂正の内容】
【０１１３】
(vi) 化合物Ｃ
Ph(3-Cl)(5-OCH2CH2F)-(R)CH(OH)C(O)OH (818 mg, 3.29 mmol；前記の工程(v)を参照)
の、DMF (30 mL)中における溶液に、窒素下で０℃において、HAze-Pab(OMe)・2HCl (1.43 g, 4.27 mmol, 国際特許出願公開WO 00／42059参照)、PyBOP (1.89 g, 3.68 mmol)およびDIPEA (1.06 g, 8.23 mmol)を添加した。反応物を０℃で２時間、次いで室温で一夜、撹拌した。混合物を真空濃縮し、残留物をシリカゲル上で２回、１回目はCHCl3：EtOH (15：1)、２回目はEtOAc：EtOH (20：1)で溶離してクロマトグラフィー処理し、表題化合物(880 mg, 54％)を得た；
Rf = 0.60 (10：1 CHCl3：EtOH)；
1H NMR (300 MHz, CD3OD, 回転異性体の複雑な混合物) d 7.58-7.60 (d, J = 8 Hz, 2H), 7.34 (d, J = 7 Hz, 2H), 7.05-7.08 (m, 2H), 6.95-6.99 (m, 1H), 5.08-5.13 (m, 1H), 4.77-4.82 (m, 1H), 4.60-4.68 (m, 1H), 3.99-4.51 (m, 7H), 3.82 (s, 3H), 2.10-2.75 (m, 2H)；
13C-NMR (150 MHz；CD3OD)：(カルボニルおよび／またはアミジンの炭素) d 173.3, 170.8, 152.5；
APCI-MS：(M + 1) = 493 m／z.。
【誤訳訂正３】
【訂正対象書類名】明細書
【訂正対象項目名】０１１６
【訂正方法】変更
【訂正の内容】
【０１１６】
化合物Ｆ(Ph(3-Cl)(5-OCH2CH2F)-(R)CH(OH)C(O)-Aze-Pab x TFA)の製造
(i) Ph(3-Cl)(5-OCH2CH2F)-(R)CH(OH)C(O)-Aze-Pab(Teoc)
Ph(3-Cl)(5-OCH2CH2F)-(R)CH(OH)C(O)OH (940 mg, 3.78 mmol；前記の製造例C (v)を参照)の、DMF (30 mL)中における溶液に、窒素下で０℃において、HAze-Pab(Teoc)・HCl (2.21 g, 4.91 mmol)、PyBOP (2.16 g, 4.15 mmol)、およびDIPEA (1.22 g, 9.45 mmol)を添加した。反応物を０℃で２時間、次いで室温で４時間、撹拌した。混合物を真空濃縮し、残留物をシリカゲル上で２回、１回目はCHCl3：EtOH (15：1)、２回目はEtOAc：EtOH (20：1)で溶離してクロマトグラフィー処理し、副題化合物(450 mg, 20％)を破砕性白色泡状物として得た；
Mp：80-88℃；
Rf = 0.60 (10：1 CHCl3：EtOH)；
1H NMR (300 MHz, CD3OD, 回転異性体の混合物) d 7.79 (d, J = 8 Hz, 2H), 7.42 (d, J = 8 Hz, 2H), 7.05-7.08 (m, 1H), 6.93-6.99 (m, 2H), 5.08-5.13 (m, 1H), 4.75-4.80 (m, 2H), 4.60-4.68 (m, 1H), 3.95-4.55 (m, 8H), 2.10-2.75 (m, 2H), 1.05-1.11 (m, 2H), 0.08 (s, 9H)；
APCI-MS：(M + 1) = 607 m／z。
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
脳血管から血栓塞栓物質を除去するためのシステムであって、
末端及び固定された内径を有して内部に延伸する内腔を有し、且つ脳血管内へ挿入されるように寸法付けられた細長いカテーテルと、
前記内腔に流体接続された吸引源と、
前記内腔を通じて延伸可能であり、且つ末端部分とこの末端部分上の幅広くされた分離要素とを含む細長い部材とを備え、前記分離要素は最大径部分を有し、その最大径は前記内腔の前記固定された内径よりも小さいシステム。
【請求項２】
請求項１に記載のシステムにおいて、前記吸引源を用いる吸引期間中に、前記分離要素は前記内腔に対して前進及び後退可能であるシステム。
【請求項３】
請求項１に記載のシステムにおいて、前記分離要素の最大径は０．００３乃至０．００８インチ（０．００７５乃至０．０２ｃｍ）であり、前記内腔末端の前記内径よりも小さいシステム。
【請求項４】
請求項１に記載のシステムにおいて、前記カテーテルは約０．０３２乃至０．０６５インチ（約０．０８乃至０．１６２５ｃｍ）の範囲の外径を有するシステム。
【請求項５】
請求項１に記載のシステムにおいて、前記分離要素は、これを前記内腔内へ引き込む間、該内腔の末端部分内に位置する単独のデバイスを含むシステム。
【請求項６】
請求項１に記載のシステムにおいて、前記分離要素の最大径は、固定された径であるシステム。
【請求項７】
請求項１に記載のシステムにおいて、前記分離要素は中実部材を含むシステム。
【請求項８】
請求項７に記載のシステムにおいて、前記分離要素は、基端方向へ対面する面を有する基端部分と、テーパー状の末端部分とを含むシステム。
【請求項９】
請求項８に記載のシステムにおいて、前記基端方向へ対面する面が凹面であるシステム。
【請求項１０】
請求項８に記載のシステムにおいて、前記基端方向へ対面する面は実質的に平坦であるシステム。
【請求項１１】
請求項８に記載のシステムにおいて、前記基端方向へ対面する面が凸面であるシステム。
【請求項１２】
請求項７に記載のシステムにおいて、前記細長い部材は可撓な末端チップを含み、前記分離要素は前記末端チップから基端方向へ離間しているシステム。
【請求項１３】
請求項１に記載のシステムにおいて、前記内腔へ挿通されて拡張可能な細長いシャフト上で拡張可能な収容要素を更に備え、この収容要素は血管内で血栓塞栓物質に接触するように前進可能であり、且つ少なくとも部分的には血栓塞栓物質を潰すように該血栓塞栓物質に係合するシステム。
【請求項１４】
請求項１３に記載のシステムにおいて、前記収容要素は中央内腔を有するスリーブを形成するように配置された複数の構造部材からなり、この複数の構造部材は前記内腔へ延出する係合要素を含み、この係合要素は、前記中央内腔へ延伸する頂点領域を有し、且つ前記複数の構造部材は、縦方向に向き付けられた頂点を有する概略的にＶ字形状の複数の要素を備えると共に、前記係合要素はこの複数のＶ字形状要素からなるシステム。
【請求項１５】
請求項１に記載のシステムにおいて、前記細長い部材の前記末端部分は末端チップを含み、前記分離要素は、前記末端チップから基端方向へ離間した固定位置において、前記細長い部材上に位置しているシステム。
【請求項１６】
請求項１５に記載のシステムにおいて、前記分離要素は、基端方向へ対面する凸状壁と、テーパー状の分離要素チップを形成するように末端方向へ対面する円錐状の壁とを有し、前記テーパー状の分離要素チップは、前記細長い部材の前記末端チップから基端方向へ離間しているシステム。
【誤訳訂正書】
【提出日】平成21年3月6日(2009.3.6)
【誤訳訂正１】
【訂正対象書類名】特許請求の範囲
【訂正対象項目名】全文
【訂正方法】変更
【訂正の内容】
【特許請求の範囲】
【請求項１】
重水素を減少させた水を得る方法であって、該方法は、供給水を脱イオン化し、主に脱塩素化し、更に、１０μＳ／ｃｍの導電率が得られるまで精製して、ｐＨ６．５〜７．５、被酸化性−最大５ｍｇ／ＬＫＭｎＯ4、遊離塩素−なし、アンモニア−なし、全体硬度−なし、の各特性を得ることを含み、更に、
ボイラーからの蒸気が絶対圧１５０ｍｍＨｇ、６０℃で高さ４５ｍ以下の同位体蒸留塔底部帯域の上部に供給され、
重水素含有量が２００ｐｐｍＤ／（Ｄ＋Ｈ）未満の６０℃の水が塔から底部帯域の下部で排出され、一部はボイラーを通して再循環され、排出流の８％に相当する別の部分が工業用水回路での管理排出のために貯蔵され、
前記蒸気は、充填物と直接接触する状態で、塔内に置かれた該充填物を通り抜ける上昇流を有しており、該充填物には大気圧下で吸引される供給水が導入され、
塔の頂部帯域において一定の真空が得られかつ維持され、その一定の真空度で蒸気が排出され、同じ真空度で２個の工程において及び４５℃で排出される冷却水の向流循環において凝縮され、
２０〜３０ｐｐｍＤ／（Ｄ＋Ｈ）含有量の水が貯蔵されて、その一部は塔の頂部帯域で充填物の上部で導入され、別の部分は２５℃で貯蔵され、最後に重水素減少水がオゾン化によって抗細菌処理され、貯蔵され、そしてＵＶによって殺菌され、壜詰めされる方法であって、
精製後、水が、２０００Ｌ／（ｈ×ｍ2）、好ましくは２５５５Ｌ／（ｈ×ｍ2）の液体投入量で、理論段数８段／ｍだが理論段数４．２段／ｍ以上の効率で最小１００段の理論段数を有する分離充填物の存在下、４５：１の高さ：直径比を有する連続同位体蒸留塔へ供給され、１００ｍｍＨｇの真空が塔頂で達成されそして維持され、蒸気の温度が頂部で５１．５℃であり、供給原料流および６０℃の蒸気流の比率が１：５であり、還流が、最少条件では９０番目の段数である、より上方のストリッピング帯域の最終段上へ供給され（３０ｐｐｍＤ／（Ｄ＋Ｈ）の濃度に相当する）、ストリッピング帯域中の理論段数とより低部の富化帯域における理論段数との比率が１０：１、好ましくは９：１であり、この
最後の場合、還流流の１０．５％が２００ｐｐｍＤ／（Ｄ＋Ｈ）未満の濃度で富化帯域を経て流れる廃棄物として生じ、還流流の４．５％が２０〜３０ｐｐｍＤ／（Ｄ＋Ｈ）の濃度の重水素減少水として得られ、該重水素減少水は静止混合プロモーターの存在下、周囲温度でミネラル化添加剤と接触させることによってミネラル化される
ことを特徴とする上記の方法。
【請求項２】
４５℃にて塔頂部で集められる重水素減少蒸気のための冷却水は、前記の脱塩素化および精製された水であり、該水は、蒸気流を冷却した後、同位体蒸留塔の供給水に加えられることを特徴とする、請求項１に記載の方法。
【請求項３】
最低２０ｐｐｍＤ／（Ｄ＋Ｈ）の重水素減少水が得られるとき、頂部ストリッピング帯域における充填物では、理論段数をこの帯域に沿って好ましくは８段／ｍから開始し、４．２段／ｍまで減少させることができる一定の効率であることを特徴とする、請求項１に記載の方法。
【請求項４】
２０〜３０ｐｐｍＤ／（Ｄ＋Ｈ）含有量の水のミネラル化が、２０〜３０ｐｐｍＤ／（Ｄ＋Ｈ）含有量の１００Ｌの水に、最低２００ｇの塩化カルシウム、１００ｇの硫酸マグネシウムおよび１００ｇの炭酸水素ナトリウムからなる天然ミネラル化水からの医薬等級塩を順に溶解することによって得られるミネラル化添加剤で達成されて、重水素減少飲料水が得られることを特徴とする、請求項１に記載の方法。
【請求項５】
管を通して飲料水源に接続された及び自動調節流量計を備えた別の管を通して低部および頂部帯域を有する同位体蒸留塔へ接続された脱イオン化および精製サブシステムを含み、底部帯域近くには供給管を通して低部帯域の上部へ接続された蒸気ボイラーが配置され、底部帯域の低部では、タップおよび自動流量計を備えた低部排出管が接続されかつ重水素富化水槽へ接続され、タップの前で管が蒸気ボイラーの低部に接続された管に通じており、塔の上部が、頂部帯域でマノメーターが取り付けられた管に接続され、頂部で特定の真空を達成するランプにつながれ、蒸気流が第２次凝縮器へ連続接続された第１次凝縮器の上部排出管を通して塔の頂部へ送られ、両凝縮器が前、中間、後のいくつかの管を通して冷却水を流し、第１次凝縮器が管を通して還流槽へ接続され、還流槽が、流量計が取り付けられた押出し管を通して還流を塔の頂部帯域へ循環させる遠心ポンプの吸引と通じる下方の管、および末端管へ接続されかつタップおよび自動調節流量計を備えた回集管につながれている、請求項１および請求項２〜４のいずれか一項に記載の方法を用いて重水素減少水を得るための装置であって、蒸気ボイラー（１２）が管（１３）を通して、上部ストリッピング帯域（ｂ）も有する充填物（９）の下部濃縮帯域（ａ）の下部に接続され、帯域（ａおよびｂ）の交差点で、充填物（９）が配置された断熱同位体蒸留塔（８）に管（６）が接続され、蒸気ボイラー（１２）と塔（８）との間に、蒸気ボイラー（１２）によって供給される蒸気が塔（８）に注入される帯域の下に置かれた、レベルメーター（１０）および調節タップ（１１）からなるレベル調節ループ（Ａ）が接続され、真空ランプ（２７）と頂部帯域（ｄ）および第２次凝縮器（１８）の間に、真空調節ループ（Ｂ）が接続され、回集管（４１）が、投入装置（４５）が取り付けられた短い管（４４）が接続された中間貯蔵槽（４３）に接続され、投入装置（４５）が静止混合プロモーターを備えた混合管（４６）に通じ、そこにはミネラル化添加剤を含む貯蔵槽（４９）につながれた別の自動投入装置（４８）を備えた短い管（４７）も接続され、混合管（４６）が管（５０）およびオゾン化サブシステム（５１）を通して最終貯蔵槽（５３）に接続され、そこでＵＶ殺菌サブシステム（５７）に接続された最終排出管（５４）が接続されていることを特徴とする上記の装置。
【請求項６】
脱イオン化および精製サブシステム（１）が前方及び後方の管（２０および２２）のそれぞれに及び低温槽（６７）に接続されていることを特徴とする、請求項５に記載の装置
。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
ＯＸ４０Ｌに結合し、下記：
ａ）配列番号１のアミノ酸配列によって規定される軽鎖可変ドメインＣＤＲ及び配列番号２によって規定される重鎖可変ドメインＣＤＲ
ｂ）配列番号３のアミノ酸配列によって規定される軽鎖可変ドメインＣＤＲ及び配列番号４によって規定される重鎖可変ドメインＣＤＲ
ｃ）配列番号５のアミノ酸配列によって規定される軽鎖可変ドメインＣＤＲ及び配列番号６によって規定される重鎖可変ドメインＣＤＲ
ｄ）配列番号７のアミノ酸配列によって規定される軽鎖可変ドメインＣＤＲ及び配列番号８によって規定される重鎖可変ドメインＣＤＲ
ｅ）配列番号９のアミノ酸配列によって規定される軽鎖可変ドメインＣＤＲ及び配列番号１０によって規定される重鎖可変ドメインＣＤＲ
ｆ）配列番号１１または１６のアミノ酸配列によって規定される軽鎖可変ドメインＣＤＲ及び配列番号１２によって規定される重鎖可変ドメインＣＤＲ
ｇ）配列番号１のアミノ酸配列によって規定される軽鎖可変ドメインＣＤＲ及び配列番号１７によって規定される重鎖可変ドメインＣＤＲ
ｈ）配列番号１８のアミノ酸配列によって規定される軽鎖可変ドメインＣＤＲ及び配列番号１９によって規定される重鎖可変ドメインＣＤＲ
ｉ）配列番号１のアミノ酸配列によって規定される軽鎖可変ドメインＣＤＲ及び配列番号２０によって規定される重鎖可変ドメインＣＤＲ
のＣＤＲの組み合わせからなる群より選択される軽鎖可変ドメインＣＤＲと重鎖可変ドメインＣＤＲの組み合わせを含むことを特徴とする抗体。
【請求項２】
前記抗体が、下記：
ａ）  配列番号１のアミノ酸配列によって規定される軽鎖可変ドメイン及び配列番号２によって規定される重鎖可変ドメイン、
ｂ）  配列番号３のアミノ酸配列によって規定される軽鎖可変ドメイン及び配列番号４によって規定される重鎖可変ドメイン、
ｃ）  配列番号５のアミノ酸配列によって規定される軽鎖可変ドメイン及び配列番号６によって規定される重鎖可変ドメイン、
ｄ）  配列番号７のアミノ酸配列によって規定される軽鎖可変ドメイン及び配列番号８によって規定される重鎖可変ドメイン、
ｅ）  配列番号９のアミノ酸配列によって規定される軽鎖可変ドメイン及び配列番号１０によって規定される重鎖可変ドメイン、
ｆ）  配列番号１１又は１６のアミノ酸配列によって規定される軽鎖可変ドメイン及び配列番号１２によって規定される重鎖可変ドメイン、
ｇ）  配列番号１のアミノ酸配列によって規定される軽鎖（ＶＬ）可変ドメイン及び配列番号１７によって規定される重鎖（ＶＨ）可変ドメイン、
ｈ）  配列番号１８のアミノ酸配列によって規定される軽鎖可変ドメイン及び配列番号１９によって規定される重鎖可変ドメイン、
ｉ）  配列番号１のアミノ酸配列によって規定される軽鎖可変ドメイン及び配列番号２０によって規定される重鎖可変ドメイン、
の組合わせからなる群より選択される可変領域の組合せを含むことを特徴とする、請求項１に記載の抗体。
【請求項３】
前記抗体は、ヒト抗体、キメラ抗体又はヒト化抗体であることを特徴とする、請求項１または２に記載の抗体。
【請求項４】
前記抗体が、ＰＶＡ２３６、ＧＬＰＳＳ３３１および／またはＬ２３４Ａ／Ｌ２３５Ａ（ＥＵインデックスに従う番号付け）からの１つ以上の突然変異を含む、ヒトサブクラスＩｇＧ１の抗体であることを特徴とする、請求項１〜３のいずれかに記載の抗体。
【請求項５】
前記抗体が、ヒトサブクラスＩｇＧ４の抗体であることを特徴とする、請求項１〜３のいずれかに記載の抗体。
【請求項６】
突然変異Ｓ２２８Ｐ及び／又は突然変異Ｌ２３５Ｅを含有することを特徴とする、請求項５に記載の抗体。
【請求項７】
下記：
ａ）γ重鎖配列番号５８として及びカッパ軽鎖配列番号６１として、
ｂ）γ重鎖配列番号６２として及びカッパ軽鎖配列番号６５として、又は
ｃ）γ重鎖配列番号６６として及びカッパ軽鎖配列番号６９として
含む、請求項１〜３のいずれかに記載の抗体。
【請求項８】
下記：
ａ）γ重鎖配列番号５９として及びカッパ軽鎖配列番号６１として、
ｂ）γ重鎖配列番号６３として及びカッパ軽鎖配列番号６５として、又は
ｃ）γ重鎖配列番号６７として及びカッパ軽鎖配列番号６９として
含む、請求項４に記載の抗体。
【請求項９】
下記：
ａ）γ重鎖配列番号６０として及びカッパ軽鎖配列番号６１として、
ｂ）γ重鎖配列番号６４として及びカッパ軽鎖配列番号６５として、又は
ｃ）γ重鎖配列番号６８として及びカッパ軽鎖配列番号６９として
含む、請求項６に記載の抗体。
【請求項１０】
細胞系、
ｈｕ−Ｍａｂ＜ｈＯＸ４０Ｌ＞ＬＣ．００１、
ｈｕ−Ｍａｂ＜ｈＯＸ４０Ｌ＞ＬＣ．００５、ｈｕ−Ｍａｂ＜ｈＯＸ４０Ｌ＞ＬＣ．０１０、
ｈｕ−Ｍａｂ＜ｈＯＸ４０Ｌ＞ＬＣ．０１９、ｈｕ−Ｍａｂ＜ｈＯＸ４０Ｌ＞ＬＣ．０２９、および
ｈｕ−Ｍａｂ＜ｈＯＸ４０Ｌ＞ＬＣ．０３３
からなる群より選ばれる細胞系により産生されることを特徴とする、請求項１に記載の抗体。
【請求項１１】
請求項１〜１０のいずれかの抗体分子をコードする核酸分子。
【請求項１２】
請求項１１の核酸を含む宿主細胞。
【請求項１３】
請求項１〜１０のいずれかに記載の抗体分子の製造方法であって、該抗体分子の合成を可能とする条件下に請求項１２の宿主細胞を培養し、そして該抗体分子をこの培養物から回収することを含む方法。
【請求項１４】
請求項１〜１０のいずれかに記載の抗体分子を含む医薬組成物。
【請求項１５】
炎症性疾患の予防及び処置用の医薬の製造のための請求項１〜１０のいずれかに記載の抗体の使用。
【誤訳訂正書】
【提出日】平成21年5月12日(2009.5.12)
【誤訳訂正１】
【訂正対象書類名】特許請求の範囲
【訂正対象項目名】全文
【訂正方法】変更
【訂正の内容】
【特許請求の範囲】
【請求項１】
所定数の画素を有する所定数のラインから構成される少なくとも１つの画像を含む連続画像シーケンスに、所定数のシンボルを含むデータを挿入する方法であって、
関数生成手段において、前記画像シーケンスのスペクトルに挿入される櫛型スペクトルを有する関数セットを生成するステップと、
移相手段において、挿入されるデータに含まれるシンボルの数に基づいて定められる数の前記関数セットに属する関数のそれぞれを移相するステップと、
合成手段において、移相した関数を重ね合わせるステップと、
画像変換手段において、移相した関数を重ね合わせることにより得られた関数を用いて、前記画像シーケンスにおける画素を変換するステップと、を含み、
前記関数セットは、互いに直交する櫛形スペクトルをもつ関数の集合であり、当該関数セットには、挿入されるデータのシンボルのそれぞれに対応する関数が属していることを特徴とする方法。
【請求項２】
メッセージの一部のビットを置換するインターリーブを行うインターリーブ手段において、前記関数セットに属する関数のそれぞれを移相するステップの前に、挿入されるデータに含まれるシンボルをインターリーブするステップをさらに含むことを特徴とする、請求項１に記載の方法。
【請求項３】
入力された初期値およびライン同期化信号に基づいて、シャッフルシーケンスとして用いられる擬似ランダムシーケンスを生成するシャッフルシーケンス生成手段において、前記関数セットに属する関数のそれぞれを移相するステップの前に、挿入されるデータに含まれる各シンボルに対応するシンボルを含む擬似ランダムシーケンスを生成し、生成した擬似ランダムシーケンスを用いて、挿入されるデータに含まれるシンボルをシャッフルするステップをさらに含むことを特徴とする、請求項１または２に記載の方法。
【請求項４】
前記シャッフルするステップでは、挿入されるデータに含まれるシンボルと前記擬似ランダムシーケンスとを、排他的論理和演算により結合することを特徴とする、請求項３に記載の方法。
【請求項５】
前記関数セットに属する関数の主スペクトル線のそれぞれの間には、前記画像シーケンスの線周波数に応じた間隔が空けられていることを特徴とする、請求項１から４のいずれか１項に記載の方法。
【請求項６】
前記画像シーケンスは櫛形スペクトルを有しており、かつ、前記関数セットにおける櫛形スペクトルは調節された画像シーケンスの周波数（ｆｄ）のスペクトルに応じて移相されていることを特徴とする、請求項１から５のいずれか１項に記載の方法。
【請求項７】
移相した関数を重ね合わせることにより得られた関数を用いて、前記画像シーケンスにおける画素を変換するステップは、前記画像シーケンスにおける画素の輝度を調節することにより行われることを特徴とする、請求項１から６のいずれか１項に記載の方法。
【請求項８】
移相した関数を重ね合わせることにより得られた関数を用いて、前記画像シーケンスにおける画素を変換するステップは、前記画像シーケンスにおける画素の色成分を回転することにより行われることを特徴とする、請求項１から６のいずれか１項に記載の方法。
【請求項９】
前記変換手段におけるマークの挿入の際に、前記画像シーケンスにおける画素の画素値の大幅な変動が生じる飽和現象を避けるために、前処理手段において、前記画像を前処理するステップをさらに含むことを特徴とする、請求項１から７のいずれか１項に記載の方法。
【請求項１０】
前記画像シーケンスにおける画素の各色成分に対して異なるシンボルのシーケンスを得るためのコード化手段において、挿入されるデータに含まれるシンボルをコード化するステップと、
前記移相手段において、コード化するステップにおいて得られたシンボルのシーケンスのそれぞれにより、前記関数セットに属する関数を移相するステップと、
前記合成手段において、移相した関数のそれぞれを重ね合わせるステップと、
前記変換手段において、移相した関数を重ね合わせることにより得られた関数を用いて、上記画素の各色成分を変換するステップと、
を含むことを特徴とする、請求項１から８のいずれか１項に記載の方法。
【請求項１１】
各色成分ごとに異なるシンボルのシーケンスを得るために、挿入されるデータに含まれるシンボルに対して行われるコード化は、畳込み符号によるコード化であることを特徴とする、請求項１０に記載の方法。
【請求項１２】
移相した関数を重ね合わせることにより得られた関数を用いて、前記画像シーケンスにおける画素を変換するステップは、前記画像シーケンスにおいて挿入したデータが感知できないように行われることを特徴とする請求項１から１１のいずれか１項に記載の方法。
【請求項１３】
移相した関数を重ね合わせることにより得られた関数を用いて、前記画像シーケンスにおける画素を変換するステップは、前記画像シーケンスに含まれる画像にスクランブルをかけるように行われることを特徴とする、請求項１から１１のいずれか１項に記載の方法。
【請求項１４】
画像からパラメータを抽出する画像パラメータ抽出手段により、所定数の画素を有する所定数のラインから構成される少なくとも１つの画像を含む画像シーケンスからデータを抽出する方法であって、
前記データは、請求項１から１２のいずれか１項に記載のデータの挿入方法により挿入されたデータであることを特徴とする方法。
【請求項１５】
画像から画素を抽出する画像パラメータ抽出手段により、所定数の画素を有する所定数のラインから構成される少なくとも１つの画像を含む画像シーケンスのスクランブルを解除する方法であって、
前記画像シーケンスは、請求項１３に記載のデータの挿入方法によりスクランブルをかけられた画像シーケンスであることを特徴とする方法。
【請求項１６】
所定数の画素を有する所定数のラインから構成される少なくとも１つの画像を含む画像シーケンスに、所定数のシンボルを含むデータを挿入する装置であって、
当該装置は、請求項１から１３のいずれか１項に記載の方法を実行するための手段を備えていることを特徴とする装置。
【請求項１７】
所定数の画素を有する所定数のラインから構成される少なくとも１つの画像の画像シーケンスからデータを抽出する装置であって、
当該装置は、請求項１４に記載の方法を実行するための手段を備えていることを特徴とする装置。
【請求項１８】
所定数の画素を有する所定数のラインから構成される少なくとも１つの画像の画像シーケンスのスクランブルを解除する装置であって、
当該装置は、請求項１５に記載の方法を実行するための手段を備えていることを特徴とする装置。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
塩化臭素、水酸化ナトリウム及びスルファミン酸から調製される濃厚殺生物性水溶液であって、濃厚溶液の調製において用いられる塩化臭素：水酸化ナトリウム：スルファミン酸の重量比が、用いられる塩化臭素の１０．５〜１１．５重量部毎に、１５．３〜１７．５重量部の水酸化ナトリウム及び１１．０〜１２．５重量部のスルファミン酸が用いられるようなものであり、該殺生物性溶液が該溶液の合計重量に基づいて少なくとも約１００，０００ｐｐｍ（重量／重量）の活性臭素を含有する濃厚殺生物性水溶液。
【請求項２】
該重量比が、用いられる塩化臭素の１０．５〜１１．５重量部毎に、１５．３〜１６．９重量部の水酸化ナトリウム及び１１．３〜１２．５重量部のスルファミン酸が用いられるようなものである請求項１に記載の溶液。
【請求項３】
該重量比が、用いられる塩化臭素の１０．８〜１１．２重量部毎に、１６．１〜１６．８重量部の水酸化ナトリウム及び１１．６〜１１．９重量部のスルファミン酸が用いられるようなものである請求項１に記載の溶液。
【請求項４】
該殺生物性溶液が少なくとも約１２のｐＨを有する請求項１〜３のいずれかに記載の溶液。
【請求項５】
該殺生物性溶液が約１４５，０００〜約１６０，０００ｐｐｍ（重量／重量）の範囲内の活性臭素を含有する請求項１〜４のいずれかに記載の溶液。
【請求項６】
（ｉ）水酸化ナトリウムの少なくとも一部の代わりに当量の少なくとも１種の他のアルカリ金属水酸化物が用いられるか；あるいは（ｉｉ）スルファミン酸の少なくとも一部の代わりに当量のアルカリ金属スルファメートが用いられるか；あるいは（ｉｉｉ）水酸化ナトリウムの少なくとも一部の代わりに当量の少なくとも１種の他のアルカリ金属水酸化物が用いられ且つスルファミン酸の少なくとも一部の代わりに当量のアルカリ金属スルファメートが用いられる請求項１に記載の溶液。
【請求項７】
アルカリ金属水酸化物が水酸化ナトリウム、水酸化カリウム又は水酸化ナトリウムと水酸化カリウムの両方であり、アルカリ金属スルファメートがスルファミン酸ナトリウム、スルファミン酸カリウム又はスルファミン酸ナトリウムとスルファミン酸カリウムの両方である請求項６に記載の溶液。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
窒化性ガス雰囲気中における炭素との反応によって焼成原料を還元及び窒化する、還元窒化反応法による化合物の製造方法であり、
前記化合物は、ニトリドシリケート系化合物であり、
前記ニトリドシリケート系化合物は、少なくとも、アルカリ土類金属元素又は希土類元素と、珪素と、窒素とを主要構成元素として含み、かつ、一般式Ｍ’p/2Ｓｉ12-p-qＡｌp+qＯqＮ16-q（但し、Ｍ’はＣａ単独又はＳｒと組み合わせたＣａ、ｑは０〜２．５、ｐは１．５〜３）で表されるサイアロンを除く化合物であることを特徴とする化合物の製造方法。
【請求項２】
前記ニトリドシリケート系化合物は、ニトリドシリケート、オクソニトリドシリケート、ニトリドアルミノシリケート、及びオクソニトリドアルミノシリケートのいずれかである請求項１に記載の化合物の製造方法。
【請求項３】
前記ニトリドシリケート系化合物は、高窒化性のニトリドシリケート系化合物であり、
前記高窒化性のニトリドシリケート系化合物は、ニトリドシリケート系化合物１モル当たり、アルカリ土類金属の原子数よりも酸素の原子数が少ないニトリドシリケート系化合物、又は、ニトリドシリケート系化合物１モル当たり、希土類金属の原子数を１．５倍した数よりも酸素の原子数が少ないニトリドシリケート系化合物のいずれかである請求項１に記載の化合物の製造方法。
【請求項４】
前記ニトリドシリケート系化合物は、Ｍ2Ｓｉ5Ｎ8、ＭＳｉ7Ｎ10、Ｍ2Ｓｉ4ＡｌＯＮ7、ＭＳｉＮ2、及びＣａＡｌＳｉＮ3の中から選ばれる少なくとも一つの化合物であり、
前記Ｍは、Ｍｇ、Ｃａ、Ｓｒ、及びＢａから選ばれる少なくとも一つの元素である請求項３に記載の化合物の製造方法。
【請求項５】
前記窒化性ガスは、窒素ガス及びアンモニアガスから選ばれる少なくとも一つのガスである請求項１に記載の化合物の製造方法。
【請求項６】
前記炭素の性状は、固体炭素、無定形炭素、及び浸炭性ガスのいずれかである請求項５に記載の化合物の製造方法。
【請求項７】
前記焼成原料は、加熱によってアルカリ土類金属酸化物ＭＯ（但し、Ｍは、Ｍｇ、Ｃａ、Ｓｒ、及びＢａから選ばれる少なくとも一つの元素、Ｏは、酸素元素）を生成しうるアルカリ土類金属化合物、及び加熱によって希土類酸化物ＬｎＯ又はＬｎ2Ｏ3（但し、Ｌｎは、原子番号２１、３９、及び５７〜７１の希土類元素から選ばれる少なくとも一つの元素、Ｏは、酸素元素）を生成しうる希土類化合物のうちの少なくとも一つの化合物と、珪素化合物とを含む請求項１に記載の化合物の製造方法。
【請求項８】
前記アルカリ土類金属化合物は、アルカリ土類金属の炭酸塩、蓚酸塩、酸化物、及び水酸化物から選ばれる少なくとも一つのアルカリ土類金属化合物である請求項７に記載の化合物の製造方法。
【請求項９】
前記希土類化合物は、希土類の炭酸塩、蓚酸塩、酸化物、及び水酸化物から選ばれる少なくとも一つの希土類化合物である請求項７に記載の化合物の製造方法。
【請求項１０】
前記珪素化合物は、窒化珪素、酸窒化珪素、酸化珪素、及びシリコンジイミドから選ばれる少なくとも一つの珪素化合物である請求項７に記載の化合物の製造方法。
【請求項１１】
前記反応は、加熱により行われる請求項１に記載の化合物の製造方法。
【請求項１２】
反応温度は、１４００℃以上２０００℃以下である請求項１１に記載の化合物の製造方法。
【請求項１３】
前記化合物は、蛍光体である請求項１〜１２のいずれかに記載の化合物の製造方法。
【請求項１４】
前記蛍光体は、Ｃｅ、Ｐｒ、Ｅｕ、Ｔｂ、及びＭｎから選ばれる少なくとも一つの元素を含む請求項１３に記載の化合物の製造方法。
【請求項１５】
反応雰囲気は、水素を用いる還元雰囲気である請求項１４に記載の化合物の製造方法。
【請求項１６】
前記蛍光体は、３４０ｎｍを超え５００ｎｍ以下の近紫外又は青色の波長領域に発光ピークを有する光で励起され、前記光のピーク波長よりも波長の長い可視光に変換する請求項１３に記載の化合物の製造方法。
【請求項１７】
請求項３に記載の製造方法によって得られる化合物を蛍光体母体とし、発光中心となりうる元素を含むことを特徴とする蛍光体。
【請求項１８】
前記化合物は、アルカリ土類金属を主たる構成成分として含み、
前記発光中心としてＥｕ2+イオン又はＣｅ3+イオンを含む請求項１７に記載の蛍光体。
【請求項１９】
請求項１７または１８のいずれかに記載の蛍光体を発光源として用いたことを特徴とする発光装置。
【手続補正２】
【補正対象書類名】明細書
【補正対象項目名】発明の名称
【補正方法】変更
【補正の内容】
【発明の名称】化合物の製造方法、蛍光体、及び発光装置
【手続補正３】
【補正対象書類名】明細書
【補正対象項目名】００１３
【補正方法】変更
【補正の内容】
【００１３】
本発明は、窒化性ガス雰囲気中における炭素との反応によって焼成原料を還元及び窒化する、還元窒化反応法による化合物の製造方法であり、前記化合物は、ニトリドシリケート系化合物であり、前記ニトリドシリケート系化合物は、少なくとも、アルカリ土類金属元素又は希土類元素と、珪素と、窒素とを主要構成元素として含み、かつ、一般式Ｍ’p/2Ｓｉ12-p-qＡｌp+qＯqＮ16-q（但し、Ｍ’はＣａ単独又はＳｒと組み合わせたＣａ、ｑは０〜２．５、ｐは１．５〜３）で表されるサイアロンを除く化合物であることを特徴とする化合物の製造方法である。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、本発明は、本発明の製造方法によって得られる化合物を蛍光体母体とし、発光中心となりうる元素を含むことを特徴とする蛍光体である。
【手続補正７】
【補正対象書類名】明細書
【補正対象項目名】００１７
【補正方法】変更
【補正の内容】
【００１７】
また、本発明は、本発明の蛍光体を発光源として用いたことを特徴とする発光装置である。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
システムにおいて、該システムは以下のものを有する、すなわち、
第２のオブジェクト（１０４）からつり下げられた第１のオブジェクト（１０８）の加速度を測定するために結合された第１のデバイス（２０２）を有し、
該第１のデバイス（２０２）は第１のオブジェクト（１０４）の加速度を表す第１の信号を発生し、
第２のオブジェクト（１０４）の加速度を測定するために結合された第２のデバイス（２０４）を有し、
該第２のデバイス（２０４）は第２のオブジェクト（１０４）の加速度を表す第２の信号は発生し、
第１の及び第２のデバイス（２０２、２０４）と通信するプロセッサ（３１２）を有し、
該プロセッサ（３１２）は少なくとも部分的に第１及び第２の信号に基づいて第２のオブジェクト（１０４）に関する第１のオブジェクト（１０２）の揺れを決定するために動作可能であり、この揺れは第２のオブジェクト（１０４）に関する第１のオブジェクト（１０２）の相対的変位を表す、
前記第１のデバイス（２０２）は、
第１のアナログ信号を発生するための第１の慣性測定ユニット（３０６）と、
前記第１のアナログ信号を記憶するための第１のメモリデバイス（３３０）と、
前記第１のアナログ信号を受け取り、そして、前記第１の信号を作成するために前記第１のアナログ信号を変換するための第１のアナログデジタルコンバータ（３２６）と、を有し、
前記第２のデバイス（２０４）は、
第２のアナログ信号を発生するための第２の慣性測定ユニット（３０８）と、
前記第２のデバイスに電力を供給するために結合された電源（３２２）と、
前記第２のアナログ信号を記憶するための第２のメモリデバイス（３３２）と、
前記第２のアナログ信号を受け取り、そして、前記第２の信号を作成するために前記第２のアナログ信号を変換するための第２のアナログデジタルコンバータ（３２６）と、を有する、
システム。
【請求項２】
プロセッサ（３１２）は第２のオブジェクト（１０４）に関する第１のオブジェクト（１０２）の揺れを表す揺れ信号を発生する、請求項１記載のシステム。
【請求項３】
さらに、揺れ信号を受信し、第２のオブジェクト（１０４）を軸（１１０）に沿って運動させる制御システム（３１６）を有し、該制御システム（３１６）は揺れ信号に対してすぐ応答する、請求項２記載のシステム。
【請求項４】
制御システム（３１６）は、第２のオブジェクト（１０４）を軸（１１０）に沿って運動させるために動作可能なモータ（３２０）を有し、さらに、揺れ信号を受信し揺れを補償するための制御信号を発生する制御プロセッサを有する、請求項３記載のシステム。
【請求項５】
モータ（３２０）は、制御信号を受信し、揺れを補償するために第２のオブジェクト（１０４）を軸（１１０）に沿って運動させる、請求項４記載のシステム。
【請求項６】
第１の及び第２の慣性測定ユニット（３０６，３０８）はマイクロ・エレクトロ・メカニカルシステム（ＭＥＭＳ）加速度計および／またはマイクロ・エレクトロ・メカニカルシステム・ジャイロスコープである、請求項１記載のシステム。
【請求項７】
システムにおいて、該システムは以下のものを有する、すなわち、
第２のオブジェクト（１０４）からつり下げられた第１のオブジェクト（１０２）を有し、
第１のオブジェクト（１０２）における第１のポイントと第２のオブジェクト（１０４）における第２のポイントとを接続するケーブル（６０４）を有し、
ケーブル（６０４）の変位の角度を測定するためにケーブル（６０４）に取り付けられたデバイス（６０２）を有し、該デバイス（６０２）はケーブル（６０４）の変位の角度を表す信号を発生し、
デバイス（６０２）と通信するプロセッサ（７０６）を有し、該プロセッサ（７０６）は少なくとも部分的に信号に基づいて第２のオブジェクト（１０４）に関する第１のオブジェクト（１０２）の揺れを決定するために動作可能であり、揺れは第２のオブジェクト（１０４）に関する第１のオブジェクト（１０２）の相対的変位を表す、
前記デバイス（６０２）が、
アナログ信号を発生するためのマイクロ・エレクトロ・メカニカルシステム（ＭＥＭＳ）ユニット（７０４）と、
前記マイクロ・エレクトロ・メカニカルシステム（ＭＥＭＳ）ユニット（７０４）に電力を供給するための電源（７０８）と、
前記アナログ信号を記憶するためのメモリデバイス（７１２）と、
前記アナログ信号を受け取り、そして、前記ケーブルの変位の角度を表す信号を作成するための前記アナログ信号を変換するためのアナログデジタルコンバータ（７１０）と、を有する、
システム。
【請求項８】
変位の角度はケーブル（６０４）と第２のポイントから下方へ延びる垂直線との間に形成される角度である、請求項７記載のシステム。
【請求項９】
プロセッサ（７０６）は第２のオブジェクト（１０４）に関する第１のオブジェクト（１０２）の揺れを表す揺れ信号を発生する、請求項７記載のシステム。
【請求項１０】
揺れ信号を受信し、第２のオブジェクト（１０４）を軸（１１０）に沿って運動させる制御システム（７１４）を有し、該制御システム（７１４）は揺れ信号にすぐ応答する、請求項９記載のシステム。
【請求項１１】
制御システム（７１４）は、第２のオブジェクト（１０４）を軸（１１０）に沿って運動させるために動作可能なモータ（７１８）を有し、さらに、揺れ信号を受信し揺れを補償するための制御信号を発生する制御プロセッサを有する、請求項１０記載のシステム。
【請求項１２】
前記マイクロ・エレクトロ・メカニカルシステム（ＭＥＭＳ）ユニット（７０４）が、
マイクロ・エレクトロ・メカニカルシステム・ジャイロスコープ、または、マイクロ・エレクトロ・メカニカルシステム加速時計を有する、請求項７記載のシステム。
【請求項１３】
前記第１のデバイス（２０２）が、更に、前記第１のオブジェクトに関連する、揺れ、ピッチ、およびロールの内の少なくとも１つを測定するために、結合されている、請求項１記載のシステム。
【手続補正書】
【提出日】平成21年9月14日(2009.9.14)
【手続補正１】
【補正対象書類名】明細書
【補正対象項目名】特許請求の範囲
【補正方法】変更
【補正の内容】
【特許請求の範囲】
【請求項１】  次の一般式（Ｉ）：
Ａ−Ｂ−Ｎ(Ｏ)2            (Ｉ)
［式中、Ａは、
式（E-1a）のパラセタモール：
【化１】
2003515526.tif 000001
式（E-2a）のサルブタモール：
【化２】
2003515526.tif 000002
式（E-3a）のアンブロキソール：
【化３】
2003515526.tif 000003
式（E-4a）のアレンドロン酸：
【化４】
2003515526.tif 000004
式（E-7a）のアシクロビル：
【化５】
2003515526.tif 000005
式（E-8a）のドキソルビシン：
【化６】
2003515526.tif 000006
式（E-11a）のタクリン：
【化７】
2003515526.tif 000007
式（E-13a）の5-メトキシ-2-[[4-ヒドロキシ-3,5-ジメチルデメチル-2-ピリジニル]メチ
ルスルフィニル]-1H-ベンズイミダゾール：
【化８】
2003515526.tif 000008
式（E-15a）のフェルラ酸：
【化９】
2003515526.tif 000009
式（E-17a）のプロプラノロール：
【化１０】
2003515526.tif 000010
式（E-21a）のスリンダク：
【化１１】
2003515526.tif 000011
から選択される薬物の残基であり；
Ｂ＝-ＴB−Ｒ1B−Ｘ−Ｒ2B−Ｏ-であり、
ここで、ＴB＝（ＣＯ）又はＸであり、
Ｘ＝Ｏ、Ｓ、ＮＲ1Cであり、Ｒ1Cは、Ｈまたは１〜６の炭素原子を有する直鎖状または分枝鎖状のアルキルまたは遊離の原子価であり、
Ｒ1BおよびＲ2Bは互いに同一または異なって直鎖状または分枝鎖状のＣ1〜Ｃ6アルキレンである］
を有する化合物またはその塩。
【請求項２】  Ｂの前駆化合物が、：
1,4-ブタンジオール： ＨＯ-(ＣＨ2)4-ＯＨ,
6-ヒドロキシへキサン酸： ＨＯ-(ＣＨ2)5-ＣＯＯＨまたは
4-ヒドロキシ酪酸： ＨＯ-(ＣＨ2)3-ＣＯＯＨ
である、請求項１に記載の化合物。
【請求項３】  3-(4-ヒドロキシ-3-メトキシフェニル)-2-プロペン酸  4-(ニトロキシ)ブチルエステル、
(Z)-5-フルオロ-2-メチル-1-[[4-(メチルスルフィニル)フェニル]メチレン]-1H-インデン-3-酢酸  (4-ニトロキシ)ブチルエステル、または
4-ニトロキシ酪酸4'-アセチルアミノフェニルエステル
である、請求項１または２に記載の化合物。
【請求項４】  請求項１〜３のいずれか１項に記載の化合物またはその塩を含む医薬組成物（但し、消化器官、腸管又は尿生殖系に影響する癌疾患の治療用を除く）。
【請求項５】  酸化的侵襲及び／又は内皮性機能障害に関連する病状の治療のための請求項４に記載の医薬組成物。
【手続補正書】
【提出日】平成21年6月26日(2009.6.26)
【手続補正１】
【補正対象書類名】明細書
【補正対象項目名】特許請求の範囲
【補正方法】変更
【補正の内容】
【特許請求の範囲】
【請求項１】
複数の信号源の１つを画面の主領域に表示するための画像信号を発生する手段と、
前記主領域の画面の第１の領域にメニューを表示するためのメニュー信号を発生する手段であって、前記メニューが複数の選択肢を含み、前記メニューの各メニュー選択肢が前記複数の信号源のそれぞれの自動同調に関連付けられている、前記メニュー信号を発生する手段と、
各々のキーが各源を表す複数のキーを含み、前記メニューの前記メニュー選択肢の１つを選択する手段と、
前記メニューが表示されている間に、前記主領域上の画面の第２の領域に、前記選択されたメニュー選択肢に関連付けられた信号源への自動同調に関する情報をユーザに伝達するためにフィードバック信号を発生する手段と、
ユーザより供給されるマッピング信号に応答して、前記選択されたメニュー選択肢に関連付けられた信号源を前記選択する手段のキーにマッピングする手段であって、前記選択する手段の前記キーの選択により前記信号源にテレビジョン装置を同調することによって、自動同調の後、ユーザが前記主画像を見るために直ちに同調し直すことが可能である、前記手段と、
を備える、前記テレビジョン装置。
【請求項２】
前記フィードバック信号が、前記選択された選択肢に関連付けられたソース信号を表示するためのビデオ信号である、請求項１記載のテレビジョン装置。
【請求項３】
前記画面の前記第２の領域がピクチャインピクチャ・ウインドウである、請求項２記載のテレビジョン装置。
【請求項４】
前記フィードバック信号が、選択されたメニューの選択肢に関連付けられた信号源をオーディオでフィードバックするためのオーディオ信号である、請求項１記載のテレビジョン装置。
【請求項５】
前記ソース信号の１つがベースバンド信号である、請求項１記載のテレビジョン装置。
【請求項６】
テレビジョン装置をプログラムする方法であって、
複数のソース信号を受信するステップと、
前記複数のソース信号の１つから画面上に主画像を生成するステップと、
メニューを前記主画像上の前記画面の第１の領域に表示するためのメニュー信号を発生するステップであって、前記メニューは複数の選択肢を含み、各メニュー選択肢は複数のソース信号のそれぞれの自動同調に関連付けられている、前記メニュー信号を発生するステップと、
前記メニューの複数のメニュー選択肢の１つを選択するステップと、
前記メニューが表示されている間に、前記主画像上の画面の第２の領域に、前記選択されたメニュー選択肢に関連付けられた信号源への自動同調に関する情報をユーザに伝達するためにフィードバック信号を発生するステップと、
ユーザより供給されるマッピング信号に応答して、前記選択されたメニュー選択肢に関連付けられた信号源をデータ入力手段のキーにマッピングするステップであって、前記データ入力手段の前記キーの選択により前記信号源にテレビジョン装置を同調させる、前記マッピングするステップと、
自動同調の後に前記主画像に同調し直すステップと、
を含む、前記方法。
【請求項７】
前記フィードバック信号が、前記選択された選択肢に関連する信号源をオーディオでフィードバックするためのオーディオ信号である、請求項６記載の方法。
【請求項８】
前記ソース信号の１つがベースバンド信号である、請求項６記載の方法。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
１つ以上の熱不安定性基を含む硬化可能な成分であって、但し、アゾ基又はニトリフェニル基を含まない成分；および
歯科用組成物の硬化を開始するための反応開始剤、を含む硬化可能な歯科用組成物。
【手続補正２】
【補正対象書類名】明細書
【補正対象項目名】発明の名称
【補正方法】変更
【補正の内容】
【発明の名称】硬化可能な歯科用組成物
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
３位および／または４位において任意に置換されていてもよい、２，５−セレノフェンの位置規則性ポリマー。
【請求項２】
式Ｉ：
【化１】
2009520044.tif 000001
式中、
Ｒ１−８は、互いに独立して、また、多重に生じる場合には互いに独立して、Ｈ、ハロゲン、任意に置換されていてもよいアリールまたはへテロアリール、Ｐ−Ｓｐ、Ｐ＊−Ｓｐ−、または炭素原子数１〜４０の直鎖、分枝鎖もしくは環状アルキルであって、Ｆ、Ｃｌ、Ｂｒ、ＩまたはＣＮにより任意に単置換または多置換されており、ここで、１つまたは２つ以上の隣接していないＣＨ２基は、各場合において互いに独立して、Ｏおよび／またはＳ原子が互いに直接結合しないように、−Ｏ−、−Ｓ−、−ＮＨ−、−ＮＲ０−、−ＳｉＲ０Ｒ００−、−ＣＯ−、−ＣＯＯ−、−ＯＣＯ−、−Ｏ−ＣＯ−Ｏ−、−Ｓ−ＣＯ−、−ＣＯ−Ｓ−、−ＣＸ１＝ＣＸ２−または−Ｃ≡Ｃ−により任意に置換され、
Ｒ０およびＲ００は、互いに独立してＨ、任意に置換されていてもよい炭素原子数１〜１２のアリールまたはアルキルであり、
Ｘ１およびＸ２は、Ｈ、Ｆ、ＣｌまたはＣＮであり、
Ｐは、重合性基であり、
Ｐ＊は、重合性基Ｐに転化できるか、または重合性基Ｐにより置換され得る基であり、
Ｓｐは、スペーサー基または単結合であり、
ａ、ｂ、ｃおよびｄは、互いに独立して０、１、２または３であり、かつａ＋ｂ＋ｃ＋ｄ≧１であり、
ｎは、＞１の整数であり、
ここで、繰り返し単位は同一または異なる、
で表される化合物から選択されることを特徴とする、請求項１に記載のポリマー。
【請求項３】
式Ｉ１：
【化２】
2009520044.tif 000002
式Ｉ１中、
Ｒ１−８、ａ、ｂ、ｃ、ｄおよびｎは、式Ｉに記載の意味を有し、
Ｒ９およびＲ１０は、互いに独立して、Ｒ１の意味の１つを有するか、−Ｓｎ（Ｒ０）３、−Ｂ（ＯＲ’）（ＯＲ”）、−ＣＨ２Ｃｌ、−ＣＨＯ、−ＣＨ＝ＣＨ２または−ＳｉＲ０Ｒ００Ｒ０００であり、
Ｒ０、Ｒ００、Ｒ０００は、互いに独立してＨ、任意に置換されていてもよい炭素原子数１〜１２のアリールまたはアルキルであり、
Ｒ’およびＲ”は、互いに独立して、Ｈまたは炭素原子数１〜１２のアルキルであるか、ＯＲ’およびＯＲ”がホウ素原子とともに炭素原子数２〜２０の環状基を形成している、
で表される化合物から選択されることを特徴とする、請求項１または２に記載のポリマー。
【請求項４】
下記式：
【化３】
2009520044.tif 000003
式中、ｎは請求項２に記載の意味を有し、ＲはＨと異なる請求項２に記載のＲ１の意味を有する、で表される化合物から選択されることを特徴とする、請求項１〜３のいずれかに記載のポリマー。
【請求項５】
Ｒ１−８が、Ｃ１−Ｃ２０−アルキル、Ｃ１−Ｃ２０−アルコキシ、Ｃ２−Ｃ２０−アルケニル、Ｃ２−Ｃ２０−アルキニル、Ｃ１−Ｃ２０−チオアルキル、Ｃ１−Ｃ２０−シリル、Ｃ１−Ｃ２０−エステル、Ｃ１−Ｃ２０−アミノまたはＣ１−Ｃ２０−フルオロアルキルから選択されることを特徴とする、請求項１〜４のいずれかに記載のポリマー。
【請求項６】
ｎが２〜５０００の整数であることを特徴とする、請求項１〜５のいずれかに記載のポリマー。
【請求項７】
Ｒ９およびＲ１０の一方または両方が、ハロゲン、−Ｓｎ（Ｒ０）３、−Ｂ（ＯＲ’）（ＯＲ”）、−ＣＨ２Ｃｌ、−ＣＨＯ、−ＣＨ＝ＣＨ２または−ＳｉＲ０Ｒ００Ｒ０００であることを特徴とする、請求項１〜６のいずれかに記載のポリマー。
【請求項８】
請求項１〜７のいずれかに記載の１種または２種以上のポリマーを含有する、半導体または電荷輸送性の材料、成分またはデバイス。
【請求項９】
請求項１〜８のいずれかに記載のポリマーの、光学、電気光学もしくは電子構成材またはデバイスにおける、電荷輸送材料、半導体材料、導電性材料、光導伝性材料もしくは発光材料、有機電界効果トランジスタ（ＯＦＥＴ）、集積回路工学（ＩＣ）、薄膜トランジスタ（ＴＦＴ）、フラットパネル・ディスプレー、無線ＩＣ（ＲＦＩＤ）タグ、エレクトロルミネセントデバイスもしくは構成材、フォトルミネセントデバイスもしくは構成材、有機発光ダイオード（ＯＬＥＤ）、ディスプレーのバックライト、光電池もしくはセンサーデバイス、電荷注入層、ショットキー・ダイオード、平坦化層、帯電防止フィルム、導電性基板もしくは導電性パターン、電池内の電極材料、光伝導体、電子写真用途、電子写真記録、有機メモリーデバイス、配向層、またはＤＮＡ配列の検出および識別への使用。
【請求項１０】
請求項１〜８のいずれかに記載のポリマー、半導体もしくは電荷輸送性の材料、成分またはデバイスを含む、光学デバイス、電気光学デバイスもしくは電子デバイス、ＦＥＴ、ＩＣ、ＴＦＴ、ＯＬＥＤまたはＲＦＩＤタグ。
【請求項１１】
２，５−ジハロ−３−置換セレノフェンをアルキルグリニャール試薬により処理し、遷移金属触媒を添加することにより得られた中間体混合物を重合することによる、請求項１〜７のいずれかに記載のポリマーの調製方法。